(57)【要約】【課題】本発明は洗濯機の給水制御装置及び制御方法に関する。【解決手段】本発明による洗濯機の給水制御装置は洗濯条件を入力するためのキー入力部、キー入力部を通じて選択されたコースによって洗濯過程が遂行されるように制御して、給水行程の時洗濯水が多段階にかけて流入されるように制御する制御部、制御部の制御信号によって洗濯水を加熱するヒーター、および制御部の制御信号によって撹拌駆動するパルセーターを含む。  洗濯機の給水制御方法は洗濯条件が入力される段階、選択されたコースによって設定された水温に至るように洗濯水が多段階に分けられて供給される段階、洗濯水が供給される過程でヒーターとパルセーターが駆動される段階、および洗濯水の供給が完了すれば選択されたコースによって洗濯行程が遂行される段階を含む。
2007532233.tif 000002
【特許請求の範囲】
【請求項１】
洗濯条件を入力するためのキー入力部、
前記キー入力部を通じて選択されたコースによって洗濯過程が遂行されるように制御して、給水工程の時洗濯水が多段階にかけて流入されるように制御する制御部、
前記制御部の制御信号によって洗濯水を加熱するヒーター、
前記制御部の制御信号によって撹拌駆動するパルセーター、が含まれる洗濯機の給水制御装置。
【請求項２】
前記制御部によって冷水と温水が同時に供給される段階と、温水だけ供給される段階で分けられることを特徴とする請求項１に記載の洗濯機の給水制御装置。
【請求項３】
前記ヒーターは温水だけ供給される段階で駆動することを特徴とする請求項１に記載の洗濯機の給水制御装置。
【請求項４】
前記ヒーターとパルセーターは同時に駆動されることを特徴とする請求項１に記載の洗濯機の給水制御装置。
【請求項５】
洗濯条件が入力される段階、
選択されたコースによって設定された水温に至るように洗濯水が多段階で分けられて供給される段階、
洗濯水が供給される過程でヒーターとパルセーターが駆動される段階、
洗濯水の供給が完了すれば選択されたコースによって洗濯行程が遂行される段階、が含まれる洗濯機の給水制御方法。
【請求項６】
前記洗濯水が多段階で分けられて供給される段階は冷水と温水が同時に供給される段階と、
温水だけ供給される段階が含まれることを特徴とする請求項５に記載の洗濯機の給水制御方法。
【請求項７】
前記ヒーターとパルセーターが駆動される段階は温水だけ供給される段階で洗濯水が設定温度に到達するまで駆動されることを特徴とする請求項６に記載の洗濯機の給水制御方法。
【請求項８】
冷水と温水が同時に供給される段階は洗濯水が設定温度または設定水位に到達したかの可否を判断して冷水の供給を制御することを特徴とする請求項６に記載の洗濯機の給水制御方法。
【請求項９】
洗濯行程が遂行される段階ではヒーターの駆動が中断されることを特徴とする請求項５に記載の洗濯機の給水制御方法。
【請求項１０】
キー入力部によって洗濯条件が入力される段階、
キー入力部によって作動命令が入力される段階、
貯水槽内部で冷水と温水が同時に流入される1次給水段階、
冷水供給が中断されて温水だけ供給される2次給水段階、
貯水槽に貯蔵される洗濯水の温度によってヒーター及び/又はパルセーターの駆動が制御される段階、が含まれる洗濯機の給水制御方法。
【請求項１１】
前記1次給水段階は給水される洗濯水の温度を感知して設定温度に到達したかを判断する段階と、
給水される洗濯水の水位を感知して設定水位に到達したかを判断する段階が含まれることを特徴とする請求項１０に記載の洗濯機の給水制御方法。
【請求項１２】
洗濯水が設定温度に到達したとか設定水位に到達したとか判断されれば冷水の給水が中断されることを特徴とする請求項１１に記載の洗濯機の給水制御方法。
【請求項１３】
前記ヒーター及び/又はパルセーターの駆動が制御される段階は前記2次給水段階で設定温度に到達するまで駆動することを特徴とする請求項１０に記載の洗濯機の給水制御方法。
【請求項１４】
前記第2給水段階は所定の設定水位まで到達したかの可否を判断する段階と、
所定の設定水位に到達したとか判断されれば所定の設定温度まで到達したかの可否を判断する段階が含まれることを特徴とする請求項１０に記載の洗濯機の給水制御方法。
【請求項１５】
前記ヒーター及び/又はパルセーターの駆動が制御される段階は前記2次給水によって洗濯水が所定の設定水位に到達した後に駆動されるようにすることを特徴とする請求項１０に記載の洗濯機の給水制御方法。
【請求項１６】
洗濯のための給水過程で、初期設定温度又は初期設定水位に到達するまで冷水と温水が同時に供給された後、最終設定水位に到達するまで温水だけ供給されるようにして、給水が完了した状態で洗濯水温度が最終設定温度に到達したかの可否によってヒーター及び/又はパルセーターの作動が制御されるようにすることを特徴とする洗濯機の給水制御方法。
【請求項１７】
前記ヒーターは洗濯行程が始まれば作動が止められることを特徴とする請求項１６に記載の洗濯機の給水制御方法。
【請求項１８】
前記パルセーターは洗濯水が最終設定温度に到達すれば停止してから洗濯行程が始まれば再び駆動されることを特徴とすることを特徴にする請求項１６に記載の洗濯機の給水制御方法。
【請求項１９】
前記パルセーターは給水が完了しても継続して作動することを特徴とする請求項１６に記載の洗濯機の給水制御方法。
【発明の詳細な説明】
【技術分野】
【０００１】
本発明は洗濯機に関し、特にヒーターが装着された全自動洗濯機で、給水を多段階で制御して、洗濯水が所定の水温に到達した状態でヒーターとパルセーターが駆動されるようにして、電力消耗を最小化することと同時に洗濯力を強化するようにする洗濯機の給水制御装置及び制御方法に関することである。
【背景技術】
【０００２】
一般的に洗濯機は給水、洗濯及び濯ぎそして脱水行程が設定されたプログラムによって順次に進行されて洗濯物が洗濯されるようにする家電機器である。
【０００３】
従来の一般的な洗濯機は洗濯に必要な洗濯水が水道管で直接供給される常温の洗濯水を利用することで、洗濯水の温度が低くて洗剤が円滑に希釈されなくなることはもちろん洗濯物に付いている染み付いた垢がきれいに洗濯されることができない短所を持っている。よって、最近は前記のような問題点を解決するために洗濯槽の下部にヒーターを設置してヒーターで発生される熱を利用して洗濯水を所定の温度で加熱させて、洗剤が完全に希釈されるようにすることと同時に洗濯物がきれいに洗濯されることができるように改善された。
【０００４】
しかし、前記のようなヒーターが装着された洗濯機の場合使用者が選択したコースによって設定される水温まで給水するため、ヒーターを給水初期から継続して駆動させることによって電力消耗が多く起きる問題点を抱えている。
【０００５】
又、従来技術による洗濯機は給水行程でヒーターが駆動されるうちに洗濯作動なしにヒーティングだけ起きることで洗濯力が落ちる問題点があった。
【発明の開示】
【発明が解決しようとする課題】
【０００６】
本発明は前記のような問題点を解決するために提案されたこととして、給水行程が多段階で成り立つようにして、貯水槽に供給される洗濯水の温度が所定の温度に到達した時からヒーターが駆動されるようにすることで電力消耗を最小化することができる洗濯機の給水制御装置及び制御方法を提供することを目的にする。
【０００７】
又、給水行程の時ヒーターの駆動と一緒にパルセーターも同時に駆動されることができるようにして、洗濯水に含まれた洗剤が完全に溶解されるようにするのみならず本洗濯が始まる前に微細洗濯が成り立つようにするは洗濯機の給水制御装置及び制御方法を提供することを目的にする。
【課題を解決するための手段】
【０００８】
前記したところのような目的を果たすための本発明による洗濯機の給水制御装置は洗濯条件を入力するためのキー入力部、前記キー入力部を通じて選択されたコースによって洗濯過程が遂行されるように制御して、給水行程の時洗濯水が多段階にかけて流入されるように制御する制御部、前記制御部の制御信号によって洗濯水を加熱するヒーター、前記制御部の制御信号によって撹拌駆動するパルセーター、が含まれる。
【０００９】
又、前記したところのような目的を果たすための洗濯機の給水制御方法は洗濯条件が入力される段階、選択されたコースによって設定された水温に至るように洗濯水が多段階で分けられて供給される段階、洗濯水が供給される過程でヒーターとパルセーターが駆動される段階、洗濯水の供給が完了すれば選択されたコースによって洗濯行程が遂行される段階、が含まれる。
【００１０】
又他の側面での本発明による洗濯機の給水制御方法はキー入力部によって洗濯条件が入力される段階、キー入力部によって作動命令が入力される段階、貯水槽内部で冷水と温水が同時に流入される1次給水段階、冷水供給が中断されて温水だけ供給される2次給水段階、貯水槽に貯蔵される洗濯水の温度によってヒーター及び/又はパルセーターの駆動が制御される段階、が含まれる。
【００１１】
又他の側面での本発明による洗濯機の給水制御方法は洗濯のための給水過程で、所定の温度又は設定水位に到達するまで冷水と温水が同時に供給された後、所定の温度又は設定水位に到達するまで温水だけ供給されるようにして、給水が完了した状態で洗濯水温度が設定温度に到達したかどうか可否によってヒーター及び/又はパルセーターの作動が制御されるようにすることを特徴とする。
【発明の効果】
【００１２】
前記したところのような構成を成す洗濯機の給水制御装置及び制御方法によって、洗濯水が多段階に供給されるようにして洗濯水が所定の温度に到達した時からヒーターが駆動されるようにすることで、ヒーター駆動のために消費する電力量が減少される効果がある。
【００１３】
又は、ヒーター駆動と同時にパルセーターが駆動するようにすることで洗剤が速やかに溶解されて、本洗濯の前に微細洗濯が成り立つことで洗濯力が強化される効果がある。
【００１４】
又は、洗濯水が多段階に供給されてヒーターが所定の時点で駆動されるようにすることで洗濯水が設定温度に至るのに必要な加熱時間が減少されて洗濯時間が短縮される効果がある。
【発明を実施するための最良の形態】
【００１５】
以下では本発明の具体的な実施例を図面と一緒に詳細に説明するようにする。しかし、本発明の思想が提示される実施例に制限されることなく、又他の構成要素の追加、変更、削除等によって、退歩的な他の発明や本発明思想の範囲内に含まれる他の実施例を容易に提案することができる。
【００１６】
図1は本発明の思想による洗濯機給水制御装置を示すブロック図である。
【００１７】
図1を参照すれば、本発明による洗濯機給水制御装置は使用者が洗濯条件を入力して洗濯コースを選択するためのキー引力部(100)と、衣類の量による水位を感知するための水位感知部(201)と、前記する入力部(100)を通じて選択されたコースによって設定される水温を感知する水温感知部(202)と、前記する入力部(100)を通じて選択されたコースによって該当の行程の成り立つように第御下は制御部(300)と、前記制御部(300)の制御信号によってヒーター(600)及びモーター(700)の駆動を制御する部下駆動部(500)と、前記制御部(300)の制御信号によって作動状態を表示するためのディスプレー部(800)と、各種基準値を貯蔵するためのメモリー(400)で構成される。詳細に説明すると、前記制御部(300)は洗濯水が多段階で給水されるようにして、洗濯水温度が使用者によって選択されたコースによって設定される温度に至るように制御する。そして、前記給水段階でヒーターが駆動されれば前記モーター(700)が同時に駆動されるようにして、パルセーター(図示省略)が同時に撹拌駆動されることができるように制御する。
【００１８】
このように構成された本発明による洗濯機の給水制御装置の作動を説明すれば次のようである。
【００１９】
先ず、前記キー入力部(100)を通じて使用者が願う洗濯コースを選択して、作動命令を入力すれば、前記制御部(300)は前記選択されたコースによって行程が成り立つように制御命令を出力する。
【００２０】
この時、前記制御部(300)は衣類の量の感知をまず実行して、感知された 衣類の量によって水位が設定されて、前記選択されたコースによって設定される水温で給水が成り立つように制御する。そして、洗濯水が設定水温及び設定水位に到達すれば洗濯水供給が中断されて、前記パルセーターが本格的に駆動して洗濯行程が遂行される。そして、洗濯行程が終われば洗濯水は排水ホースによって外部に排出されて、きれいな洗濯水が再流入される。そして、洗濯水流入が完了すれば濯ぎ過程が遂行されて、濯ぐことが終われば脱水過程が遂行されてすべての洗濯過程が終わる。
【００２１】
図2は本発明の思想による洗濯機の給水制御方法による給水過程を示したグラフである。
【００２２】
図2を参照すれば、本発明による洗濯機の給水制御方法によって洗濯水は少なくとも2段階以上に分けられて流入される。そして、各段階では温水と冷水が選択的に又は同時に流入される。
【００２３】
詳細に説明すると、 1次給水区間(A)では冷水及び温水を同時に給水して、 2次給水区間(B)では温水だけ給水した後、水温によって前記ヒーター(600)を選択的に駆動させる。そして、前記ヒーター(600)が駆動されることと同時に前記モーター(700)を駆動させてパルセーター(図示省略)を撹拌駆動させることができる。そして、洗濯水が設定された水温に至れば洗濯行程区間(C)では前記ヒーター(600)を駆動させない状態で該当の行程を遂行するようになる。
【００２４】
より詳細に説明すると、使用者が洗濯条件を入力して作動ボタンを押せば洗濯水が流入される。ここで、前記制御部(300)の制御信号によって期設定された第1設定温度まで1次給水を遂行する。この時、冷水及び温水は同時に給水される。
【００２５】
例えば前記設定された第1設定温度が約32℃という場合、前記水温感知部(202)を通じて感知される水温が第1設定温度に感知されれば1次給水を終了する。そして、前記1次給水が終われば冷水給水は停止させて、前記衣類の量の感知によって設定された水位まで温水のみ給水する。引き続いて、前記設定された水位まで給水が完了した後感知される水温が前記選択されたコースによって設定された水温に及ぶことができなければ前記ヒーター(600)を駆動させて該当の水温に至るようにする。
【００２６】
一方、前記ヒーター(600)が駆動され始めれば、前記モーター(700)が同時に駆動されるようにしてパルセーター(図示省略)が前記ヒーター(600)の作動と同時に撹拌駆動されることができるように制御する。言い換えれば、 2段給水を通じて1次給水の時には少量の水で洗剤濃度を高めて1次的な汚染をとり除いて、 2次給水の時温水だけ給水することで前記ヒーター(600)を駆動させる時間が減少されるようにする。そして、 2次給水時には温水だけ供給されるようにすることで、洗濯水の温度が設定水温に至る時間が短くなるようになる。また、前記のように多段階で洗濯水が供給されるようにすることで、全力消耗が減少される。そして、前記ヒーター(600)が駆動されるうちに前記モーター(700)を駆動させることで洗濯力を強化させることができる。
【００２７】
図3は本発明による洗濯機の給水制御方法を示したフローチャートである。
【００２８】
図3を参照すれば、先に使用者がパワーオン命令を入力(S110)して洗濯コースを選択する(S120)。この時、前記選択された洗濯コースによって洗濯水の温度が設定される。そして、使用者が作動命令を入力(S130)すれば1次給水が遂行される(S140)。ここで、 1次給水間には冷水及び温水が同時に成り立つ。ここで、 1次給水の時給水される洗濯水の量、すなわち第1設定水位はプログラムによって自動で設定されるようにすることが望ましい。
【００２９】
又は、前記1次給水過程(S140)で洗濯水が第1設定温度に到達したのか可否を判断する(S150)。そして、前記判断結果洗濯水温度が第1設定温度に到逹したと判断されれば2次給水が始まる(170)。一方、第1設定温度に到達したのか可否を判断する過程で第1設定水温に到達しない場合には洗濯水の水位が第1設定水位に到達したのか可否を判断(S160)するようにできる。そして、第1設定水位に到達した場合には洗濯水が第1設定水位に到達したのか可否に関係なく1次給水が終わるようにして2次給水が始まるようにできる。反対に、第1設定水位に到達しなかったと判断される場合継続して1次給水が遂行されるようにできる。
【００３０】
一方、2次給水過程では1次給水の時と違い温水だけ給水されるようにする。詳細に説明すると、 2次給水過程で第2設定水位に到逹したのか可否を判断(S180)する。そして、第2設定水位に到達したと判断されれば洗濯水が第2設定温度に到達したのか可否を判断する(S190)。そして、洗濯水が第2設定水温に到達したと判断されれば設定されたコースによって洗濯行程が遂行される(S220)。反対に、洗濯水が第2設定水温に到達しなかったと判断されればヒーターが駆動されるように制御する(S200)。この時、ヒーターが駆動されることと同時にパルセーターが一緒に撹拌駆動するように制御する(S210)。ここで、前記ヒーターとパルセーターの駆動は前記洗濯水が第2設定温度に到達するまで成り立つ。そして、洗濯水が第2設定温度に到達した場合にはヒーターの駆動は停止されて前記パルセーターが本格的に駆動するように制御される。ここで、洗濯水が第2設定温度に到達した場合にはヒーター及びパルセーターの駆動が全て停止されるようにして、洗濯過程で前記パルセーターが再び駆動するように制御されることができる。そして、設定されたコースによって洗濯、濯ぎ脱水行程が遂行されて、前記行程が全て遂行されれば全ての過程が終了する。
【産業上の利用可能性】
【００３１】
前記のような構成を成す本発明による洗濯機の給水制御装置及び制御方法によって、ヒーターを駆動するために消耗する電力量が減少されて洗濯水が設定温度まで加熱されるのにかかる時間が減少される効果があって産業上利用可能性が非常に高い。
【図面の簡単な説明】
【００３２】
【図１】本発明の思想による洗濯機給水制御装置を示すブロック図。
【図２】本発明の思想による洗濯機の給水制御方法による給水過程を示したグラフ。
【図３】本発明による洗濯機の給水制御方法を示したフローチャート。
【図１】
2007532233.tif 000003
【図２】
2007532233.tif 000004
【図３】
2007532233.tif 000005
【国際調査報告】
2007532233.tif 000006
2007532233.tif 000007